(57)【要約】【課題】脚の運動性が向上し、かつ後中心のスリットが開いても裏地が見えず美観を損なわずスリット部から肌が露出しないタイトタイプのスカートを提供する。【解決手段】表地の後中心下部に裾まで達する縦方向のスリット７を設け、表地のスリット部７に対応する位置の裏地１２の表側の表面に、表地と同じ布からなる当て布であって、縦方向の長さならびに幅が表地のスリット部の長さより長い当て布１９を設けたタイトスカート【選択図】図４
0003127816.tif 000002
【実用新案登録請求の範囲】
【請求項１】
表地の後中心下部に裾まで達する縦方向のスリットを設け、表地のスリット部に対応する位置の裏地の表側の表面に、表地と同じ布からなる当て布であって、縦方向の長さならびに幅が表地のスリット部の長さより長い当て布を設けたことを特徴とするタイトスカート。
【請求項２】
裏地が、表地の裏側の全周囲をほぼカバーしている裏地であり、前記裏地は、上縁がウェスト部で表地と共に縫合されているが、下縁は表地に縫合されておらず、当該裏地の前記当て布を設けた位置より離れた位置の裏地下部に、裾まで達する縦方向のスリットが少なくとも1ヵ所設けられている裏地である請求項１に記載のタイトスカート。
【請求項３】
裏地が、表地の裏側の全周囲をほぼカバーしている裏地であり、前記裏地は、上縁がウェスト部で表地と共に縫合されているが、下縁は表地に縫合されておらず、裏地下縁より若干上側の位置で、２〜５ｃｍ程度の長さの連結糸で、２〜３箇所当該裏地と表地が連結されており、当該裏地の前記当て布を設けた位置より離れた位置の裏地下部に、裾まで達する縦方向のスリットが少なくとも1ヵ所設けられている裏地である請求項１に記載のタイトスカート。
【請求項４】
裏地の縦方向のスリットの位置が、裏地前身頃と裏地後身頃の左右の脇側の縫合ラインの少なくともいずれか一方に沿ったスリットである請求項２〜３のいずれかに記載のタイトスカート。
【請求項５】
裏地が、裏地下縁より若干上側の位置で、２〜５ｃｍ程度の長さの連結糸で、スカート左右の脇側それぞれ１箇所づつ当該裏地と表地が連結されており、前記裏地と表地が連結されている部分における、表地への前記連結糸の一端の固定箇所が、表地前身頃と表地後身頃の脇側の縫合箇所のスカート内部側に形成されている縫い代部であり、裏地への当該連結糸他端の固定箇所が、裏地前身頃と裏地後身頃の脇側の縫合箇所のスカートの表地側に面して形成される縫い代部である請求項３に記載のタイトスカート。
【考案の詳細な説明】
【技術分野】
【０００１】
本考案は、脚の運動性が向上し、かつ後中心のスリットが開いても裏地が見えず美観を損なわずスリット部から肌が露出しないタイトタイプのスカートに関する。
【背景技術】
【０００２】
タイトタイプのスカートは、近年、女性の制服のスカートなどにも頻繁に用いられている。タイトスカートは、比較的身体にタイトに設計されているのでフレアースカートなどとは異なり、脚の運動性が制限されるため、少しでも、脚の運動性を向上させることが求められている。
【０００３】
タイトスカートの後中心下部に、ベンツを設けたタイトスカートが製造されている。ベンツの場合には、ベンツ部においてその左右の生地が重なって設けられるので、多少、ベンツ部からの肌の露出が抑制されるとは言え、根本的には、ベンツ部が開いた場合に脚部の肌の露出は避けることができない。しかも、ベンツ部はその左右の生地の重なり部が設けられるので、重なりのない、スリットの場合に較べて、脚の運動性が若干劣るという問題がある。
【０００４】
また、ベンツ部に代えて当該部分をスリットにした場合には、脚の運動性が一層向上するが、スリットは開きやすく、脚部の肌がより露出しやすくなる。肌がより露出しないようにスリット部の内側も含めて裏地を設けるとスリットが開いたときに裏地が見えて美観を損なうという問題がある。
【０００５】
また、ボックスプリーツを有するスカートで、表地スリット部に対応する位置の裏地に切欠部（スリットと記載されている）を設け、その裏地の切欠部に向当布を設けることにより、この部分の厚みのが厚くなることを防止することが提案されている。（下記特許文献１参照）。しかし、この場合は、裏地の切欠部に向当布が存在するので、脚部の肌が当該向当布に当接することになり、本来の裏地の性質として裏地が有する、すべりがよく、ドレープ性がよく、従って、肌ざわりがよく着用感を低下させないという機能が低下するという問題がある。
【特許文献１】実願平７−１５７０８号公報
【考案の開示】
【考案が解決しようとする課題】
【０００６】
本考案は、タイトスカートの後中心下部に、スリットを設けたタイトスカートの場合の、スリットが開きやすいため、脚部の肌がより露出しやすくなる問題点、また、肌がより露出しないようにスリット部の内側も含めて裏地を設けるとスリットが開いたときに裏地が見えて美観を損なうという問題を解決し、タイトスカートの後中心下部に設けられたスリットが開いても脚部の肌がスリットから露出することがなく、スリットが開いた場合でも裏地が見えることなく美観を損なわず、しかも、本来裏地が有する、すべりがよく、ドレープ性がよく、従って、肌ざわりがよく着用感を低下させないという裏地本来の機能を保持することができ、脚の運動性を向上させたタイトスカートを提供することを目的とする。
【課題を解決するための手段】
【０００７】
前記課題を解決するため、本考案のタイトタイプのスカートは、次のような構成を有する。
【０００８】
（１）表地の後中心下部に裾まで達する縦方向のスリットを設け、表地のスリット部に対応する位置の裏地の表側の表面に、表地と同じ布からなる当て布であって、縦方向の長さならびに幅が表地のスリット部の長さより長い当て布を設けたことを特徴とするタイトスカート。
【０００９】
（２）裏地が、表地の裏側の全周囲をほぼカバーしている裏地であり、前記裏地は、上縁がウェスト部で表地と共に縫合されているが、下縁は表地に縫合されておらず、当該裏地の前記当て布を設けた位置より離れた位置の裏地下部に、裾まで達する縦方向のスリットが少なくとも1ヵ所設けられている裏地である前記（１）項に記載のタイトスカート。
【００１０】
（３）裏地が、表地の裏側の全周囲をほぼカバーしている裏地であり、前記裏地は、上縁がウェスト部で表地と共に縫合されているが、下縁は表地に縫合されておらず、裏地下縁より若干上側の位置で、２〜５ｃｍ程度の長さの連結糸で、２〜３箇所当該裏地と表地が連結されており、当該裏地の前記当て布を設けた位置より離れた位置の裏地下部に、裾まで達する縦方向のスリットが少なくとも1ヵ所設けられている裏地である前記（１）項に記載のタイトスカート。
【００１１】
（４）裏地の縦方向のスリットの位置が、裏地前身頃と裏地後身頃の左右の脇側の縫合ラインの少なくともいずれか一方に沿ったスリットである前記（２）〜（３）項のいずれかに記載のタイトスカート。
【００１２】
（５）裏地が、裏地下縁より若干上側の位置で、２〜５ｃｍ程度の長さの連結糸で、スカート左右の脇側それぞれ１箇所づつ当該裏地と表地が連結されており、前記裏地と表地が連結されている部分における、表地への前記連結糸の一端の固定箇所が、表地前身頃と表地後身頃の脇側の縫合箇所のスカート内部側に形成されている縫い代部であり、裏地への当該連結糸他端の固定箇所が、裏地前身頃と裏地後身頃の脇側の縫合箇所のスカートの表地側に面して形成される縫い代部である前記（３）項に記載のタイトスカート。
【考案の効果】
【００１３】
本考案は、脚部の運動性が改良され、裏地が本来有する、すべりがよく、ドレープ性がよく、従って、肌ざわりがよく着用感を低下させないという裏地本来の機能を保持でき、スリット部が開いた場合でも、肌が露出するのを防止し、かつ、裏地が見えて美観を損なうことのないタイトタイプのスカートを提供できる。
【考案を実施するための最良の形態】
【００１４】
以下、本考案のタイトタイプのスカートの理解を容易にするために、図面を引用しながら、具体的実施の形態例について説明するが、本考案は、これらの具体的実施の形態例のみに限定されるものではない。
【００１５】
図1は本考案のタイトスカートの一実施形態例のほぼ前側から見た概略外観斜視図である。図２は、図1に示した本考案のタイトスカートの背面側から見た外観背面図、図３は、本考案のタイトスカートの裏側に設けられているの裏地の形状を説明するための一実施形態例の裏地のやや上側から見た背面図、図４は、図２に示した本考案のタイトスカートの背面側の表地のスリット部近傍（下部中央部近傍）を切欠いて当該切欠部から裏地の一部が見えている状態の一部切欠背面図である。
【００１６】
この実施形態例に示した本考案のタイトスカートの主要部分は、表地は前身頃１と後身頃２からなり、後身頃２は図２に示される様に、着用者基準で左半身側の後身頃２ａと右半身側の後身頃２ｂが、後中心で縫合ライン３により互いに縫合されている。４は着用する際に開閉するためのファスナー部であり、このファスナーは、図１からも明らかな様に、当該開閉部の表地と裏地が同時に開閉できるように表地と裏地にあわせて縫合されている。５はウェスト帯状部であり、ウェスト帯状部の後中心近傍で、フック・アンド・アイなどの鉤ホック（図示せず）等で着用する際に開閉できるように構成されている。６は表地に適宜設けられているギャザーないしダーツである。７が表地後身頃の後中心下部に設けられた裾まで達する縦方向のスリットである。図１で１６は裏地１０に適宜設けられているギャザーないしダーツである。尚、この例では、表地の前身頃１と後身頃２は、左右のほぼ脇側で縫合ライン８で互いに縫合されている。図１の９はポケット部を示している。
【００１７】
図３は、図１のタイトスカートの裏側に設けられているの裏地の形状を説明するための裏地のやや上側から見た背面図であり、裏地のみを表地から取り外したと仮定した状態での裏地のやや上側から見た背面図である。但し、ウェスト部におけるウェスト帯状部５や表地への縫合のための縫い代の図示は省略している。
【００１８】
この実施形態例に示した本考案のタイトスカートの裏地の主要部分は、裏地前身頃１１と裏地後身頃１２からなり、裏地後身頃１２は図３に示される様に、着用者基準で左半身側の裏地後身頃１２ａと右半身側の裏地後身頃１２ｂが、後中心で縫合ライン１３により互いに縫合されている。４は着用する際に開閉するためのファスナー部であり、このファスナーは、図１からも明らかな様に、当該開閉部の表地と裏地が同時に開閉できるように表地と裏地にあわせて縫合されている。ウェスト部は、表地のウェスト部や、ウェスト帯状部５の下縁に縫合されている。
【００１９】
１６は裏地に適宜設けられているギャザーないしダーツである。裏地前身頃１１と裏地後身頃１２は、左右のほぼ脇側で縫合ライン１８で互いに縫合されている。但し、この例では、裏地前身頃１１と左半身側の裏地後身頃１２ａの縫合ラインに沿った下部には裏地下部に裾まで達する縦方向のスリット１７が設けられている。図３に示した態様では、裏地に設けられたスリット１７は、この部分１ヵ所のみである。１９が表地のスリット部７に対応する位置の裏地の表側の表面に設けられている表地と同じ布からなる当て布である。裏地の後中心下端部近傍の面上に表地と同じ布からなる当て布１９がその周囲を裏地に縫合されて取り付けられている。
【００２０】
図４は、図1〜図３を用いて説明した本考案のタイトスカートの背面側の表地のスリット部近傍（下部中央部近傍）を切欠いて当該切欠部から裏地の一部が見えている状態の一部切欠背面図である。当て布１９は、縦方向の長さならびに幅が表地のスリット部７の長さより長い縦方向の長さならびに幅を有する当て布が用いられる。好ましくは、当て布１９の縦方向の長さは、表地のスリット部７の長さの１．５〜２倍、幅が表地のスリット部７の長さの１．３〜１．７倍程度が好ましい。こうすることにより、歩く、階段を上るなどの着用者の運動により、表地のスリット部７が“ヘ”のように開いても、表地と同じ布からなる当て布１９が存在するので、裏地が見えて美観を損なうという事を防止できる。表地のスリット部７が“ヘ”のように開いても、通常、その開き角度は最大でも６０度程度であることから、当て布１９の寸法は、上述した範囲でよい。
【００２１】
そして、図７に、図４の左側の縫合ライン８に沿って表地と裏地を切断した場合の切断部端面を模式的に示した図に示すように、表地（１及び２）と裏地（１１及び１２）とは、ウェスト近傍でウェスト帯状部５に縫合ライン３０で縫合されているが、その他の部分は表地と裏地は縫合されていないか、部分的に２〜５ｃｍ程度の長さの連結糸３１で、スカート周方向の位置で２〜３箇所程度ゆるく連結されている。このようにすることにより、歩く、階段を上るなどの着用者の運動により裏地のスリット１７（図３）が開きやすく、裏地が着用者の運動性の低下を妨げることがない。
尚、裏地のスリット１７の位置は、当該裏地の前記当て布１９を設けた位置より離れた位置に設けられているため（図３の例では脇側に裏地のスリット１７が設けられている）、裏地のスリット１７が開いても、表地のスリット７から脚部の肌が露出することはない。従って裏地のスリット１７の長さをより長くでき、裏地による運動性の低下を更に防止することもできる。
【００２２】
また、通常、裏地は、紡績糸からなる織物ではなく、フィラメント織物が用いられ、タフタ、デシン、羽二重、サテンなどの織物でキュプラ、アセテートなどの化学繊維その他の材質からなるものが一般的に使用されており、すべりがよく、ドレープ性がよく、従って、肌ざわりがよく着用感を低下させないという裏地の機能を発揮するが、本考案においては、前記表地と同じ布からなる当て布１９は、裏地の表側の表面、すなわち肌側と反対面に設けられているので、裏地本来の機能の発揮が妨げられることはなく着用感が低下しない。
【００２３】
尚ここで、連結糸３１が設けられている場合には、着用者の運動による裏地の移動、まつわりつき等が抑えられ好ましい。連結糸３１が設けられる高さは、裏地下縁（裾）から４ｃｍ上から２２ｃｍ程度の範囲が好ましい。連結糸３１を２箇所ないし３箇所設ける場合に、それぞれの連結糸３１が設けられる裏地下縁（裾）からの距離は、異なっていてよい。
【００２４】
例えば、図３のような裏地を用いる場合で、裏地の左右の縫合ライン１８、１８上に１ヵ所づつ合計２箇所連結糸３１を設ける場合に、図３の裏地の左の縫合ライン上では、例えば裏地スリット１７の長さが２０ｃｍある場合などは、裏地スリット１７の上端のすぐ上の位置に連結糸３１を取り付け、一方、裏地スリット１７の存在しない裏地の右の縫合ライン上では、裏地下縁（裾）から５ｃｍほど上の位置に連結糸３１を取り付けるなどそれぞれの連結糸３１が設けられる裏地下縁（裾）からの距離は、異なっていてもよい。なお、当該連結糸のもう一方の端部の表地への取り付け位置は、対応する裏地への取り付け位置とほぼ同じ位置に取り付けることが好ましい。裏地スリット１７の途中に連結糸３１を取り付ける事は裏地スリット１７の一方の開きを阻害する可能性があるので、裏地スリット１７のある縦ライン上に連結糸３１を設ける場合は、裏地スリット１７の上端のすぐ上の位置に設けることが好ましい。
【００２５】
また、図８に連結糸３１を設けている態様の好ましい一例を説明するために図１〜４で示した本考案のタイトスカートをスカート上下方向を横断するように輪切りにしたと仮定し、その切断面端面のスカート右側部分の部分模式図を示したが、図８に示す様に、表地への連結糸３１の一端の取り付け固定箇所が、表地前身頃１と表地後身頃２ｂ（スカート左側部分の場合には図８に図示していないが、表地前身頃１と表地後身頃２ａ）の脇側の縫合箇所８のスカート内部側に形成されている縫い代部３２であり、裏地への当該連結糸３１の他端の取り付け固定箇所が、裏地前身頃１１と裏地後身頃１２ｂ（スカート左側部分の場合には図８に図示していないが、裏地前身頃１と裏地後身頃１２ａ）の脇側の縫合箇所１８のスカートの表地側に面して形成されている縫い代部３３とし、左右の脇側の縫い代部それぞれに連結糸３１の取り付け箇所を設けることにより、連結糸３１の一端の取り付け固定箇所が表地の表側に表れず外観の低下を来たさない。また、連結糸３１の他端の取り付け固定箇所が裏地の肌側に表れず、着用感の低下を防止でき好ましい。
【００２６】
次に、図５は、図３に代わる別の態様の裏地の形状を説明するための裏地のやや上側から見た背面図であり、図３の裏地と異なるところは、図３の裏地は、裏地スリット１７が裏地前身頃１１と左半身側の裏地後身頃１２ａの縫合ラインに沿った下部、すなわち左脇側１箇所のみであるのに対し、図５の裏地は、図３の裏地と同じ位置の裏地前身頃１１と左半身側の裏地後身頃１２ａの縫合ラインに沿った下部と、裏地前身頃１１と右半身側の裏地後身頃１２ａの縫合ラインに沿った下部の２箇所、すなわち左脇側１箇所と右脇側１箇所の合計２箇所に裏地スリット１７が設けられた態様を示したものである。尚、図３の裏地と同じ部分は同じ符号を用いて重複説明を省略している。
【００２７】
次に図６は、図３に代わる更に別の態様の裏地の形状を説明するための裏地のやや上側から見た背面図であり、図３の裏地と異なるところは、図３の裏地は、裏地スリット１７が裏地前身頃１１と左半身側の裏地後身頃１２ａの縫合ラインに沿った下部、すなわち左脇側に１箇所設けられている態様であるのに対し、図６の裏地は、裏地前身頃１１と左半身側の裏地後身頃１２ａの縫合ライン１８（図左側の縫合ライン１８）と当て布１９の左側の縁とのほぼ中間の位置に裏地スリット１７が１箇所設けられた態様を示したものである。尚、図３の裏地と同じ部分は同じ符号を用いて重複説明を省略している。
【００２８】
このように図３、図５、図６に裏地スリット１７を設ける場合の態様の異なる小数の例を示したが、これらのみに限定されるものではなく、当該裏地の前記当て布を設けた位置より離れた位置で裏地下部に裾まで達する縦方向のスリットが少なくとも1ヵ所設けられている裏地であればよい。裏地スリット１７の数は特に制限するものではないが、通常１〜３箇所程度が好ましく、より好ましくは１〜２個所、更に好ましくは１箇所である。あまりに裏地スリット１７の数が多くなりすぎると、裏地が細いものが多数存在することになり、強度が低下しやすくなるおそれがあることと、まつわりつきやすくなる傾向が出てくる。
【００２９】
尚、裏地の素材生地は前述したように、通常、このようなスカートなどに使用されている裏地が採用できる。通常、裏地は、紡績糸からなる織物ではなく、フィラメント織物が用いられ、タフタ、デシン、羽二重、サテンなどの織物でキュプラ、アセテートなどの化学繊維その他の材質からなるものが一般的に使用されており、すべりがよく、ドレープ性がよく、従って、肌ざわりがよく着用感を低下させないという通常の裏地の機能を発揮できるものであればよい。表地も特に制限はなく、このようなスカートなどの表地に使用されている各種繊維からなる織物、編物などが用いられ、特に制限するものではないが、少数の具体例を挙げれば、例えばナイロン繊維、ポリエステル繊維、アクリル繊維、羊毛、あるいはこれらの混紡糸などからなる平織物、綾織物、朱子織物、経編地、横編地などが好適に用いられる。
【産業上の利用可能性】
【００３０】
本考案は、脚部の運動性が改良され、裏地が有する、すべりがよく、ドレープ性がよく、従って、肌ざわりがよく着用感を低下させないという裏地本来の機能を保持でき、表地のスリット部が開いた場合でも、肌が露出するのを防止し、かつ、裏地が見えて美観を損なうことのないタイトタイプのスカートを提供できる。女性用制服のスカートなどにもきわめて有用である。
【図面の簡単な説明】
【００３１】
【図１】本考案のタイトスカートの一実施形態例のほぼ前側から見た概略外観斜視図。
【図２】図1に示した本考案のタイトスカートの背面側から見た外観背面図。
【図３】本考案のタイトスカートの裏側に設けられているの裏地の形状を説明するための一実施形態例の裏地のやや上側から見た背面図。
【図４】図２に示した本考案のタイトスカートの背面側の表地のスリット部近傍（下部中央部近傍）を切欠いて当該切欠部から裏地の一部が見えている状態の一部切欠背面図。
【図５】別の態様の裏地の形状を説明するための裏地のやや上側から見た背面図。
【図６】更に別の態様の裏地の形状を説明するための裏地のやや上側から見た背面図。
【図７】図４の左側の縫合ライン８に沿って表地と裏地を切断した場合の切断部端面を模式的に示した図。
【図８】図１〜４で示した本考案のタイトスカートをスカート上下方向を横断するように輪切りにしたと仮定し、その切断面端面のスカート右側部分の部分模式図。
【符号の説明】
【００３２】
１    表地の前身頃
２    表地の後身頃
２ａ  左半身側の後身頃
２ｂ  右半身側の後身頃
３    縫合ライン
４    ファスナー部
５    ウェスト帯状部
６    ギャザーないしダーツ
７    表地後身頃の後中心下部に設けられたスリット
８    縫合ライン
９    ポケット部
１０  裏地
１１  裏地前身頃
１２  裏地後身頃
１２ａ  左半身側の裏地後身頃
１２ｂ  右半身側の裏地後身頃
１３  縫合ライン
１６  裏地に設けられているギャザーないしダーツ
１７  裏地に設けられたスリット
１８  縫合ライン
１９  表地と同じ布からなる当て布
３０  縫合ライン
３１  連結糸
３２  脇側の縫合箇所８のスカート内部側に形成されている縫い代部
３３  脇側の縫合箇所１８のスカートの表地側に面して形成されている縫い代部
【図１】
0003127816.tif 000003
【図２】
0003127816.tif 000004
【図３】
0003127816.tif 000005
【図４】
0003127816.tif 000006
【図５】
0003127816.tif 000007
【図６】
0003127816.tif 000008
【図７】
0003127816.tif 000009
【図８】
0003127816.tif 000010